(57)【要約】【課題】  サブハウジングの誤挿入防止を安価に対応できるようにする。【解決手段】  フレーム１０の収容室１１にサブハウジング２０，２０ａが選択に挿入される場合、正規のサブハウジング２０も他のものも、収容室１１内に収容される。フレーム１０ごと相手の雄コネクタＭと嵌合された場合、挿入されたものが正規のサブハウジング２０であれば、識別部２６の識別リブ２８が、雄コネクタＭの検知部７０の検知溝７３と整合して、両コネクタＦ，Ｍの嵌合が許容される。誤って他のサブハウジング２０ａが挿入された場合は、識別部２６ａの識別リブ２８が検知溝７３と整合せず、検知部７０の表面に当たることで両コネクタＦ，Ｍの嵌合が規制される。これにより、サブハウジングの誤挿入が防止される。サブハウジングの正否の検知をフレームとの間ではなく、相手コネクタとの間で行うようにしたから、フレームを単一のものに共通化できる。【選択図】  図１
2006012501.tif 000002
【特許請求の範囲】
【請求項１】
複数の収容室を設けたフレームにおける前記各収容室内には、端子金具が装着されたサブハウジングがそれぞれ挿入され、前記フレームごと相手コネクタと嵌合されるようにした分割コネクタであって、少なくとも一つの前記収容室には、極数や端子金具の種類が異なる複数種のサブハウジングが選択的に挿入されるようにしたものにおいて、
選択的に挿入されるサブハウジングには、種類ごとに異なった識別部が設けられる一方、対応する収容室は、すべての種類のサブハウジングが挿入可能となっており、相手コネクタ側に、一のサブハウジングの識別部とは非干渉で両コネクタの嵌合を許容し、他のサブハウジングの識別部とは干渉して両コネクタの嵌合を規制する検知部が設けられていることを特徴とする分割コネクタ。
【請求項２】
前記識別部と前記検知部とのいずれか一方には、両コネクタの嵌合方向に沿ったリブが設けられるとともに、他方には前記リブを摺接させてその嵌合方向に沿った進出を許容する溝が設けられていることを特徴とする請求項１記載の分割コネクタ。
【請求項３】
前記識別部と前記検知部とは、両コネクタの嵌合動作の初期状態から係合可能となっていることを特徴とする請求項１または請求項２記載の分割コネクタ。
【発明の詳細な説明】
【技術分野】
【０００１】
本発明は、フレームに複数のサブハウジングを挿入した分割コネクタに関する。
【背景技術】
【０００２】
分割コネクタは、複数の収容室を並べて設けたフレームを備えて、各収容室内に端子金具が装着されたサブハウジングがそれぞれ挿入され、フレームごと相手コネクタと嵌合される構造となっている（例えば、特許文献１参照）。  
一方このような分割コネクタでは、例えば同一の車種でもグレードが異なるような場合において、一の収容室に対して、極数や端子金具の種類が異なる複数種のサブハウジングが選択的に挿入されるような使い方をすることがある。
【０００３】
このような場合、選択したサブハウジングが正規に挿入されているか否かを検知する必要がある。通常採られる手段としては、サブハウジング側では、種類ごとに外面の異なった位置にリブを立てる一方、フレーム側では収容室の口縁の対応した位置に逃がし溝を設け、正規のサブハウジングの場合は、リブが逃がし溝内を進出しつつ挿入が許容され、それ以外のサブハウジングの場合は、リブが収容室の口縁に当たって挿入が規制されることを以て、サブハウジングの正否を検知するものが知られている。
【特許文献１】特開平６−１１９９５５号公報
【発明の開示】
【発明が解決しようとする課題】
【０００４】
しかるに上記の方法では、サブハウジングの挿入の組み合わせが異なるごとに、逃がし溝の配設位置を異にした専用のフレームを形成する必要があり、製造費や管理費も含めてコスト高を招くという問題があった。  
本発明は上記のような事情に基づいて完成されたものであって、その目的は、分割コネクタにおけるサブハウジングの誤挿入防止を安価に対応できるようにするところにある。
【課題を解決するための手段】
【０００５】
上記の目的を達成するための手段として、請求項１の発明は、複数の収容室を設けたフレームにおける前記各収容室内には、端子金具が装着されたサブハウジングがそれぞれ挿入され、前記フレームごと相手コネクタと嵌合されるようにした分割コネクタであって、少なくとも一つの前記収容室には、極数や端子金具の種類が異なる複数種のサブハウジングが選択的に挿入されるようにしたものにおいて、選択的に挿入されるサブハウジングには、種類ごとに異なった識別部が設けられる一方、対応する収容室は、すべての種類のサブハウジングが挿入可能となっており、相手コネクタ側に、一のサブハウジングの識別部とは非干渉で両コネクタの嵌合を許容し、他のサブハウジングの識別部とは干渉して両コネクタの嵌合を規制する検知部が設けられている構成としたところに特徴を有する。
【０００６】
請求項２の発明は、請求項１に記載のものにおいて、前記識別部と前記検知部とのいずれか一方には、両コネクタの嵌合方向に沿ったリブが設けられるとともに、他方には前記リブを摺接させてその嵌合方向に沿った進出を許容する溝が設けられているところに特徴を有する。  
請求項３の発明は、請求項１または請求項２に記載のものにおいて、前記識別部と前記検知部とは、両コネクタの嵌合動作の初期状態から係合可能となっているところに特徴を有する。
【発明の効果】
【０００７】
＜請求項１の発明＞
フレームの収容室にサブハウジングが選択に挿入される場合、正規のサブハウジングも他種のものも、すべて一旦収容室内に収容される。そののち、フレームごと相手コネクタと嵌合された場合、挿入されたサブハウジングが正規のものであれば、その識別部が相手コネクタの検知部と干渉することなく両コネクタの嵌合が許容される。一方、正規のサブハウジングでない場合は、識別部が検知部と干渉して両コネクタの嵌合が規制される。これにより、サブハウジングの誤挿入が防止される。  
サブハウジングの正否の検知をフレームとの間ではなく、相手コネクタとの間で行うようにしたから、フレームを単一のものに共通化できる。もっとも、相手コネクタ側では、検知部の形状や設置位置等が異なる複数種を形成する必要があるが、相手コネクタ側では、極数や端子金具の種類が異なれば、コネクタ自体の形状等を変更する必要があり、そのとき併せて検知部の形成態様を代えれば、新たな負担とはならない。結果、フレームを共通化できた分、安価に対応することができる。
【０００８】
＜請求項２の発明＞
正規のサブハウジングが挿入されている場合、リブが相手の溝に沿って摺接しつつ両コネクタが真直に嵌合される。言い換えると、両コネクタをこじることなく嵌合でき、端子金具に曲げ変形が生じる等を未然に防止できる。  
＜請求項３の発明＞
正規以外のサブハウジングが挿入されていた場合、両コネクタが嵌合された初めの時期に識別部が検知部と干渉して嵌合が規制される。誤挿入が嵌合動作の早い時期に判って便利である。一方、正規のサブハウジングが挿入されている場合は、嵌合の早い時期からこじり防止機能が発揮される。
【発明を実施するための最良の形態】
【０００９】
＜実施形態＞
以下、本発明の一実施形態を図１ないし図１５に基づいて説明する。この実施形態では、図１に示すように、互いに嵌合される雌コネクタＦと雄コネクタＭとを備えている。雌コネクタＦは本願の分割コネクタに相当し、雄コネクタＭは本願の相手コネクタに相当するものであり、レバー５３の助勢力を受けて嵌合されるようになっている。  
なお以下では、それぞれのコネクタＦ，Ｍについて、嵌合面側を前方として説明する。
【００１０】
雌コネクタＦは、合成樹脂からなるフレーム１０を備えている。このフレーム１０は、図２ないし図５にも示すように、全体としては横長のブロック状に形成され、その内部には左右２個の収容室１１，１２が間に仕切部１３を挟んで形成されている。正面から見た左側が相対的に幅広の大型の収容室１１（以下、大収容室１１）で、右側が相対的に幅狭の小型の収容室１２（以下、小収容室１２）となっている。  
各収容室１１，１２の前面には、比較的薄肉の前壁１４を貫通してそれぞれ前面開口部１５が形成され、また各収容室１１，１２の後面には、比較的厚肉の後壁１６を貫通して後面開口部１７が形成されている。後面開口部１７の方が前面開口部１５よりもやや幅広である。
【００１１】
フレーム１０の大収容室１１と小収容室１２とには、それぞれ雌側の大型のサブハウジング２０（以下、大サブハウジング２０）と、小型のサブハウジング３０（以下、小サブハウジング３０）とが後方から挿入されて収容可能となっている。  
大サブハウジング２０は、図６（Ａ）に示すように、大収容室１１に対応して相対的に幅広のブロック状に形成されており、例えば相対的に大型の雌端子金具（図示せず。以下、大雌端子）が収容されるキャビティ２１が、上下２段にわたって合計１４室形成されている。一方、小サブハウジング３０は、同図（Ｂ）に示すように、小収容室１２に対応して相対的に幅狭のブロック状に形成され、相対的に小型の雌端子金具（図示せず。以下、小雌端子という）が収容されるキャビティ３１が、上下３段にわたって合計２４室形成されている。
【００１２】
さらにこの実施形態では、フレーム１０の大収容室１１について、上記した大サブハウジング２０（以下、第１大サブハウジング２０）に代わって、別の大サブハウジング２０ａ（以下、第２大サブハウジング２０ａ）を選択的に収容可能となっている。この第２大サブハウジング２０ａは、図６（Ｃ）に示すように、第１大サブハウジング２０と外形形状は同じであるが、装着する雌端子金具の種類と個数が異なっており、例えば小雌端子が収容されるキャビティ３１が、上下３段にわたって合計２７室形成されている。各サブハウジング２０，２０ａ及び３０は、いずれも合成樹脂製である。
【００１３】
大サブハウジング２０，２０ａと小サブハウジング３０の前面における左右両側縁には、所定寸法後方に凹んだ段差部２３，３３が形成されているとともに、下面には、左右両端に前後方向を向いたガイドリブ２４，３４と、中央部にロック突部２５，３５が形成されている。一方、フレーム１０の両収容室１１，１２では、その底面の左右両側に前後方向を向いたガイド溝１８が、中央部に撓み変形可能なロックアーム１９が形成されている。
【００１４】
したがって第１大サブハウジング２０と第２大サブハウジング２０ａとは、ガイドリブ２４をガイド溝１８に沿わせ、かつロックアーム１９を撓み変形させつつ大収容室１１内に後方から挿入され、前面の左右の段差部２３が大収容室１１の前面開口部１５における左右の口縁の裏側に当たることで、前面が前面開口部１５内に面一に嵌った状態で前止まりされ、併せてロック突部２５がロックアーム１９に弾性的に係止されることで抜け止めされる。  
小サブハウジング３０も、上記と同じようにして小収容室１２内に後方から挿入され、前面が小収容室１２の前面開口部１５内に面一に嵌った状態で前止まりされ、ロックアーム１９により抜け止めされるようになっている。
【００１５】
さて、各サブハウジング２０，２０ａ及び３０の左右両面には、その種類を識別するべく識別部２６，２６ａ及び３６が形成されている。この識別部２６，２６ａ及び３６は詳細には、サブハウジング２０，２０ａ及び３０の左右両面における段差部２３，３３より少し奥に入った位置で、かつ中央高さ位置に形成されている。  
識別部２６，２６ａ及び３６は、縦向きの基板２７，３７の表面に、識別リブ２８，３８を外向きの水平姿勢で突設したものであって、端的には、基板２７，３７の表面の上中下のいずれの位置から識別リブ２８，３８が突設されているかによって、識別がなされるようになっている。
【００１６】
図６（Ａ）に示す第１大サブハウジング２０の識別部２６は、基板２７の中央高さ位置に識別リブ２８が立てられた形状であり、一方同図（Ｃ）に示す第２大サブハウジング２０ａの識別部２６ａは、基板２７の下部位置に識別リブ２８が立てられた形状である。また、同図（Ｂ）に示す小サブハウジング３０の識別部３６は、基板３７の下部位置に識別リブ３８が立てられている。  
なお、図１に示すように、小サブハウジング３０の識別部３６は、リテーナの装着位置の関係から、大サブハウジング２０（２０ａ）の識別部２６（２６ａ）よりも奥行寸法が短く形成されている。
【００１７】
さらにフレーム１０の構造を説明する。フレーム１０の後面には、図３及び図４に示すように、大収容室１１の後面開口部１７と小収容室１２の後面開口部１７とが、間に後壁１６を挟んで並んで形成されている。  
大収容室１１の後面開口部１７における背面から見た左側の側縁には、上記した大サブハウジング２０，２０ａに形成された背面から見た左側の識別部２６，２６ａを挿通可能とする挿通孔４１が、後壁１６を切り欠くようにして形成されている。また、小収容室１２の後面開口部１７における背面から見た右側の側縁には、小サブハウジング３０に形成された背面から見た右側の識別部３６を挿通可能とする挿通孔４１が、同じく後壁１６を切り欠くようにして形成されている。  
なお、大収容室１１の後面開口部１７における背面から見た右側の側縁と、小収容室１２の後面開口部１７における背面から見た左側の側縁とには、それぞれ大サブハウジング２０，２０ａと小サブハウジング３０とに形成された上記とは反対側の識別部２６，２６ａ及び３６を挿通する逃がし溝４３が、側壁の内面を切り欠くようにして形成されている。両逃がし溝４３の前面は行き止まり状となっている。
【００１８】
フレーム１０の前面では、大収容室１１と小収容室１２の前面開口部１５の間に位置する前壁１４に、詳しくは後記する雄コネクタＭ側に設けられた検知部７０を挿通する挿入窓孔４５が形成されている。この挿入窓孔４５は基本的には、両収容室１１，１２の前面開口部１５の高さに匹敵する高さを持った縦長の長方形に形成されている。この挿入窓孔４５における左右の側縁からは、後方に延出した上下一対ずつの突条４６が互いに突き合うようにして形成され、各突条４６の後方延出端は後壁１６と連結されている。
【００１９】
上下で対をなす突条４６の間の間隔は、サブハウジング２０，２０ａ及び３０に設けられた識別部２６，２６ａ及び３６における基板２７，３７の高さ寸法とほぼ等しく形成されている。また、上下で対をなす突条４６の前端部分には、識別部２６，２６ａ及び３６の基板２７，３７を突き当てるストッパ４７が形成されている。両ストッパ４７の対向した面は、挿入窓孔４５の左右の側縁と面一に形成されている。  
上記したように、各サブハウジング２０，２０ａ及び３０が対応する収容室１１，１２に挿入された際、各仕切部１３側の識別部２６，２６ａ及び３６は、基板２７，３７が上下の突条４６の間を通って前進し、サブハウジング２０，２０ａ及び３０が前止まりしたところで、基板２７，３７はストッパ４７に対して面一の状態で突き当たるようになっている。したがって、各識別部２６，２６ａ及び３６における識別リブ２８，３８は、ストッパ４７の対向面から左右方向に突出した位置に来ることになる。  
言い換えると、挿入窓孔４５の左右の側縁部における上下の突条４６の間の領域が識別領域４９となっており、各識別領域４９における上中下のいずれかの位置に、識別部２６，２６ａ及び３６の識別リブ２８，３８が臨むようになっている。
【００２０】
なお、フレーム１０の上下の壁にはレバー装着溝５１が形成されており、詳しい説明は省略するが、カム溝５４を形成したレバー５３が、軸５５を中心とした回動可能に収容されている。フレーム１０の外周面には、前後方向を向いたこじり防止用のリブ５７と、同嵌合溝５８とが適宜位置に形成されている。  
また以下では、フレーム１０の大収容室１１内に第１大サブハウジング２０を挿入したものを第１雌コネクタＦ、同大収容室１１に第２大サブハウジング２０ａを挿入したものを第２雌コネクタＦａとして区別する。
【００２１】
雄コネクタＭは、プリント回路基板に取り付けられて使用されるＰＣＢコネクタであって、図８に示す第１雄コネクタＭと、図９に示す第２雄コネクタＭａとの２種類が準備されている。第１雄コネクタＭは、上記したフレーム１０の大収容室１１内に第１大サブハウジング２０を挿入した形態の第１雌コネクタＦと対応して使用されるものである。  
この第１雄コネクタＭは合成樹脂製のハウジング６０を備え、基壁６１の前面に、上記したフレーム１０を内側に嵌合可能なフード部６２を設けた形状となっている。フード部６２の内周面には、フレーム１０のこじり防止用のリブ５７と嵌合溝５８とにそれぞれ整合する嵌合溝６３とリブ６４とが形成されている。また、ハウジング６０の上下の内周面には、フレーム１０に装着されたレバー５３のカム溝５４と係合するフォロワピン６５が突設されている。
【００２２】
ハウジング６０には、Ｌ型をなすタブ状の雄端子金具６６，６７が基壁６１を貫通して装着され、その一端がフード部６２内に突出されるとともに、基壁６１の後面側で下方に突出した他端が、プリント回路基板（図示せず）の導電路と接続されている。第１雄コネクタＭでは、図８に示すように、フード部６２内の正面から見た右側の相対的に幅広の領域に、相対的に大型の雄端子金具６６（以下、大雄端子６６）が、第１大サブハウジング２０のキャビティ２１と対応した配列で装着され、左側の相対的に幅狭の領域に、相対的に小型の雄端子金具６７（以下、小雄端子６７）が、小サブハウジング３０のキャビティ３１と対応した配列で装着されている。
【００２３】
さて、フード部６２内における左右の領域の間の位置には、図１にも示されるように、誤挿入検知用の検知部７０が、基壁６１からフード部６２の先端縁よりも少し奥に入った位置に向けて突出するようにして、片持ちの梁状に形成されている。具体的には、後記するように雌雄のコネクタが正規に嵌合された場合に、検知部７０の先端がフレーム１０の後壁１６に当たるような設定である。  
検知部７０の基本的な断面形状は、上記したフレーム１０の前面に設けられた挿入窓孔４５と整合した形状となっている。そして特に中央高さ位置にある幅広部の左右両側縁が、挿入窓孔４５の左右の識別領域４９と対向する検知領域７２とされている。詳細には、左右の検知領域７２には、それぞれ上中下のいずれかの位置に、識別リブ２８，３８を挿通可能に逃がす検知溝７３が全長にわたって形成されている。
【００２４】
第１雄コネクタＭの検知部７０では、図８に示すように、正面から見た右側の検知領域７２に、第１大サブハウジング２０の識別リブ２８の位置と対応して、中央高さ位置に検知溝７３が切られている。一方、左側の検知領域７２には、小サブハウジング３０の識別リブ３８の位置と対応して、下部位置に検知溝７３が切られている。
【００２５】
第２雄コネクタＭａは、上記したフレーム１０の大収容室１１内に第２大サブハウジング２０ａを挿入した形態の第２雌コネクタＦａと対応して使用されるものであって、第１雄コネクタＭと比べて、雄端子金具の装着形態と、検知部７０ａの形状とを異にしている。  
第２雄コネクタＭａでは、図９に示すように、ハウジング６０ａのフード部６２内の正面から見た右側の相対的に幅広の領域に、小雄端子６７が、第２大サブハウジング２０ａのキャビティ３１と対応した配列で装着され、左側の相対的に幅狭の領域には、第１雄コネクタＭと同じく、小雄端子６７が小サブハウジング３０のキャビティ３１と対応した配列で装着されている。  
検知部７０ａについては、正面から見た右側の検知領域７２に、第２大サブハウジング２０ａの識別リブ２８の位置と対応して、下部位置に検知溝７３が切られている。左側の検知領域７２には、同じく下部位置に検知溝７３が切られている。
【００２６】
上記した第１と第２の雄コネクタＭ，Ｍａのハウジング６０，６０ａは、それぞれ雄端子金具６６，６７をインサートとしたインサート成形によって形成されるか、あるいは雄端子金具６６，６７が圧入によって装着されるものであって、いずれにしても各ハウジング６０，６０ａは別々の金型において個別に成形される。各ハウジング６０，６０ａは、上記したようにプリント回路基板に取り付けられる一方、ＥＣＵ（電子制御ユニット）等の機器の壁面等に取り付けられて使用されるようになっている。
【００２７】
続いて、本実施形態の作用を説明する。正規の使用形態は、第１雌コネクタＦを第１雄コネクタＭに、また第２雌コネクタＦａを第２雄コネクタＭａに嵌合するものである。  
まず第１の雌雄のコネクタＦ，Ｍを嵌合する場合を説明する。フレーム１０には、図７に示すように、上下のレバー５３が回動始端にある姿勢で装着されて仮係止される。そして、図１０に示すように、フレーム１０の大収容室１１には第１大サブハウジング２０が、小収容室１２には小サブハウジング３０がそれぞれ収容されることで、第１雌コネクタＦが組み付けられる。この場合、正面から見た左側の識別領域４９では、その中央高さ位置に、第１大サブハウジング２０の識別リブ２８が臨み、一方右側の識別領域４９では、その下部位置に、小サブハウジング３０の識別リブ３８が臨む。
【００２８】
このように組み付けられた第１雌コネクタＦが、第１雄コネクタＭに対して嵌合される。第１雌コネクタＦは、リブ５７と嵌合溝５８とを相手の嵌合溝６３とリブ６４とに摺動させつつ押し込まれる。それとともに、第１雄コネクタＭの検知部７０がフレーム１０の挿入窓孔４５内に進入する。ここで検知部７０には、正面から見た右側の検知領域７２で中央高さ位置に、左側の検知領域７２で下部位置にそれぞれ検知溝７３が形成され、言い換えると、識別領域４９に臨んだ識別リブ２８，３８の高さ位置と対応した位置に検知溝７３が切られているから、図１１に示すように、両サブハウジング２０，３０の識別リブ２８，３８が検知溝７３を挿通しつつ、引き続き嵌合される。  
所定量嵌合されると、フォロワピン６５がカム溝５４の入口に進入するとともに、レバー５３の仮係止が解除されるため、引き続いてレバー５３を回動すると、カム作用によって第１雌コネクタＦが第１雄コネクタＭに対して引き寄せられる。正規嵌合に至ると、レバー５３が本係止され、それに伴い雌雄のコネクタＦ，Ｍが嵌合状態にロックされる。
【００２９】
第２の雌雄のコネクタＦａ，Ｍａを嵌合する場合は、フレーム１０の大収容室１１に対し、第１大サブハウジング２０に代えて、第２大サブハウジング２０ａを収容することで、第２雌コネクタＦａが組み付けられる。この場合、図１２に示すように、左右の識別領域４９のともに下部位置に、第２大サブハウジング２０ａの識別リブ２８と、小サブハウジング３０の識別リブ３８が臨んだ状態となる。
【００３０】
このように組み付けられた第２雌コネクタＦａが、第２雄コネクタＭａに対して嵌合されされると、同様に、第２雄コネクタＭａの検知部７０ａがフレーム１０の挿入窓孔４５内に進入するが、こちらの検知部７０ａでは、左右の検知領域７２のともに下部位置に検知溝７３が形成され、言い換えると、識別領域４９に臨んだ識別リブ２８，３８の高さ位置と対応した位置に検知溝７３が切られているから、図１３に示すように、両サブハウジング２０ａ，３０の識別リブ２８，３８が検知溝７３を挿通しつつ、引き続き嵌合される。同じく、レバー５３の操作で正規嵌合に至る。
【００３１】
ここで、第２雌コネクタＦａを組み付けるに当たり、フレーム１０の大収容室１１に誤って第１大サブハウジング２０を収容する場合があり得る。その場合は、実質的に第１雌コネクタＦが組み付けられたことになる。その場合は特に、正面から見た左側の識別領域４９の中央高さ位置に、第１大サブハウジング２０の識別リブ２８が臨んだ状態にあるため、相手の第２雄コネクタＭａに嵌合してその検知部７０が挿入窓孔４５内に進入した際に、図１４及び図１５に示すように、第１大サブハウジング２０の識別リブ２８が、対応する検知領域７２における検知溝７３の上側の表面に突き当たり、それ以上の嵌合が規制される。  
それにより、第２雌コネクタＦａが正規に組み付けられていないこと、すなわちフレーム１０の大収容室１１に第２大サブハウジング２０ａを収容すべきところが、誤って第１大サブハウジング２０が収容されたことが検知される。
【００３２】
なお、第１雌コネクタＦを組み付けるに当たり、フレーム１０の大収容室１１に誤って第２大サブハウジング２０ａを収容した場合は、第２大サブハウジング２０ａの識別リブ２８と、第１雄コネクタＭの検知部７０の検知溝７３の位置とが対応しないから、第２大サブハウジング２０ａの識別リブ２８が、対応する検知領域７２における検知溝７３の下側の表面に突き当たり、同じく嵌合が規制される。これを以て、フレーム１０の大収容室１１に第１大サブハウジング２０を収容すべきところが、誤って第２大サブハウジング２０ａが収容されたことが検知される。
【００３３】
以上説明したように本実施形態によれば、フレーム１０の大収容室１１に正規のサブハウジング２０または２０ａが正規に収容されたか否かの検知を、フレーム１０との間ではなく、相手の雄コネクタＭ，Ｍａに設けた検知部７０，７０ａとの間で行うようにしたから、フレーム１０を単一のものに共通化できる。もっとも、相手の雄コネクタＭ，Ｍａ側では、検知溝７３の位置を異にした検知部７０，７０ａを備える必要があるが、雄コネクタＭ，Ｍａ側では、極数や雄端子金具の種類が異なれば、ハウジング６０，６０ａ自体の形状等を変更する必要があるため、併せて検知部７０，７０ａの形状を変更すれば、新たな負担とはならない。結果、フレーム１０を共通化できた分、安価に対応することができる。
【００３４】
正規のサブハウジング２０，２０ａ及び３０が挿入されている場合、識別リブ２８，３８が相手の検知部７０，７０ａの検知溝７３に沿って摺接しつつ雌雄のコネクタが真直に嵌合される。言い換えると、両コネクタをこじることなく嵌合でき、特にフード部６２内に突出した雄端子金具６６，６７に雌コネクタが突き当たって曲げ変形が生じる等を未然に防止することができる。
【００３５】
また、フレーム１０に収容されたサブハウジング２０，２０ａ及び３０の識別部２６，２６ａ及び３６と、相手の雄コネクタＭ，Ｍａに設けられた検知部７０，７０ａとは、雌雄のコネクタの嵌合の比較的早い時期に係合する。正規以外のサブハウジングが挿入されていた場合、例えばレバー５３の仮係止が解除される前にそれ以上の嵌合が規制されるから、レバー５３の回動に伴い無理矢理嵌合が継続されることが防がれる。一方、正規のサブハウジングが挿入されている場合は、嵌合の早い時期からこじり防止機能を発揮することができる。
【００３６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）フレームの小収容室側でも、種類の異なる小サブハウジングを選択的に挿入するようにしてもよい。  
（２）識別部では、識別リブを上中下の３位置に分けて形成することで識別機能が発揮されるのであるから、各収容室において、３種類の異なったサブハウジングを選択的に挿入してこれらを識別することが可能である。また識別リブを４箇所以上に分けて形成するようにすれば、４種類以上のサブハウジングを選択的に挿入することに対応できる。
【００３７】
（３）サブハウジングの識別部は、フレームに収容された場合に隣り合う側面側のみに設ければ足り、そのようなものも本発明の技術的分野に含まれる。  
（４）フレームに形成される収容室は３以上であってもよい。ここで上記実施形態のように、サブハウジングの左右の両側面に識別部が設けられていると、収容室が３以上あって、サブハウジングが端部を除いた中央の収容室に収容された場合に、両識別部を有効に利用できる。
【００３８】
（５）上記実施形態とは逆に、相手の雄コネクタ側の検知部にリブを、サブハウジング側の識別部にリブを逃がす溝を形成してもよい。  
（６）サブハウジングにおける識別部を設ける位置は、上下の面を含めてどの周面上であってもよい。また、相手コネクタと対向する前面に設けてもよい。
【図面の簡単な説明】
【００３９】
【図１】本発明の一実施形態の分解斜視図
【図２】フレームの正面図
【図３】同背面図
【図４】図２のIV−IV線断面図
【図５】図２のＶ−Ｖ線断面図
【図６】サブハウジングの正面図
【図７】レバーが装着されたフレームの平面図
【図８】第１雄コネクタの正面図
【図９】第２雄コネクタの正面図
【図１０】第１雌コネクタの正面図
【図１１】第１雄コネクタに第１雌コネクタが嵌合された状態の正面図
【図１２】第２雌コネクタの正面図
【図１３】第２雄コネクタに第２雌コネクタが嵌合された状態の正面図
【図１４】誤挿入を検知した状態の正面図
【図１５】その部分拡大図
【符号の説明】
【００４０】
Ｆ…第１雌コネクタ（分割コネクタ）
Ｆａ…第２雌コネクタ（分割コネクタ）
１０…フレーム
１１…大収容室
１２…小収容室
２０…第１大サブハウジング
２０ａ…第２大サブハウジング
２６，２６ａ…識別部
２８…識別リブ
３０…小サブハウジング
３６…識別部
３８…識別リブ
４５…挿入窓孔
４９…識別領域
Ｍ…第１雄コネクタ（相手コネクタ）
Ｍａ…第２雄コネクタ（相手コネクタ）
６０，６０ａ…ハウジング
７０，７０ａ…検知部
７２…検知領域
７３…検知溝
【図１】
2006012501.tif 000003
【図２】
2006012501.tif 000004
【図３】
2006012501.tif 000005
【図４】
2006012501.tif 000006
【図５】
2006012501.tif 000007
【図６】
2006012501.tif 000008
【図７】
2006012501.tif 000009
【図８】
2006012501.tif 000010
【図９】
2006012501.tif 000011
【図１０】
2006012501.tif 000012
【図１１】
2006012501.tif 000013
【図１２】
2006012501.tif 000014
【図１３】
2006012501.tif 000015
【図１４】
2006012501.tif 000016
【図１５】
2006012501.tif 000017